(57)【要約】【課題】  テレビ受信装置による視聴から容易に続きを携帯電話で視聴できるようにする。【解決手段】  携帯電話に無線タグを装備し、テレビ受信装置１００には無線タグリーダ１２４を装備する。テレビ受信装置１００でのコンテンツ視聴中に、携帯電話が、テレビ受信装置１００から設定通信距離以上、離れると、テレビ受信装置１００は、デバイスリストから携帯電話を除外する。削除されたデバイスがコンテンツ転送可能なデバイスであった場合、テレビ受信装置１００は、削除したデバイス（ここでは、携帯電話５００）にコンテンツの再生を促すメッセージを送信し、コンテンツの再生を一時停止する。メッセージを受信した携帯電話で、ユーザが再生を選択すると、テレビ受信装置１００は、一時停止していたコンテンツの再生を再開し、エンコーダ１２２で携帯電話用のフォーマットに変換して携帯電話に送信する。【選択図】  図１
2005175862.tif 000002
【特許請求の範囲】
【請求項１】
ネットワークと、
前記ネットワークに接続されるネットワーク端末であって、位置情報通信手段と、表示画像情報受信手段と、前記受信した表示画像情報をユーザに提示する表示手段とを有するネットワーク端末と、
前記ネットワークに接続されるテレビ受信装置であって、前記ネットワーク端末から位置情報を取得する位置情報取得手段と、表示画像情報送信手段と、前記表示画像情報をユーザに提示する表示手段とを有するテレビ受信装置
とを具備するネットワーク制御システムであって、
前記ネットワーク端末が前記テレビ受信装置に対し位置情報を提供し、
前記テレビ受信装置は、取得したネットワーク端末の位置情報に基づいて表示画像情報の送信を制御する
ことを特徴とするネットワーク制御システム。
【請求項２】
ネットワークに接続されたネットワーク端末から位置情報を取得する位置情報取得手段と、
表示画像情報送信手段と、
前記表示画像情報をユーザに提示する表示手段
とを有し、前記ネットワーク端末から取得した位置情報に基づいて表示画像情報の送信を制御することを特徴とするテレビ受信装置。
【請求項３】
ネットワークに接続されたテレビ受信装置に位置情報を提供する位置情報通信手段と、
前記表示画像情報を受信する表示画像情報受信手段と、
受信した表示画像情報をユーザに提示する表示手段
とを有し、前記提供した位置情報に基づいて表示画像情報を受信することを特徴とするネットワーク端末。
【請求項４】
ネットワークと、
前記ネットワークに接続されるネットワーク端末であって、位置情報通信手段と、表示画像情報受信手段と、前記受信した表示画像情報をユーザに提示する表示手段とを有するネットワーク端末と、
前記ネットワークに接続されるテレビ受信装置であって、前記ネットワーク端末から位置情報を取得する位置情報取得手段と、表示画像情報送信手段と、前記表示画像情報をユーザに提示する表示手段とを有するテレビ受信装置
とを具備するネットワーク制御システムであって、
前記ネットワーク端末が前記テレビ受信装置に対し位置情報を提供し、
前記テレビ受信装置は、取得したネットワーク端末の位置情報に基づいて表示画像情報の表示先を制御する
ことを特徴とするネットワーク制御システム。
【請求項５】
ネットワークに接続されたネットワーク端末から位置情報を取得する位置情報取得手段と、
表示画像情報送信手段と、
前記表示画像情報をユーザに提示する表示手段
とを有し、
前記ネットワーク端末から取得した位置情報に基づいて表示画像情報の表示先を制御することを特徴とするテレビ受信装置。
【請求項６】
ネットワークに接続されたテレビ受信装置に位置情報を提供する位置情報通信手段と、
前記表示画像情報を受信する受信手段と、
受信した表示画像情報をユーザに提示する表示手段
とを有し、
前記提供した位置情報に基づいて表示画像情報を表示することを特徴とするネットワーク端末。
【請求項７】
取得したネットワーク端末の位置情報を基にリストを作成し、前記リストから削除されたネットワーク端末に対して表示画像情報の送信を開始することを特徴とする請求項２に記載のテレビ受信装置。
【請求項８】
取得したネットワーク端末の位置情報を基にリストを作成し、表示画像情報送信先のネットワーク端末が前記リストに登録された場合、前記ネットワーク端末に対する表示画像情報の送信を停止することを特徴とする請求項２に記載のテレビ受信装置。
【請求項９】
取得したネットワーク端末の位置情報を基にリストを作成し、ネットワーク端末が前記リストから削除された場合、表示中の表示画像情報の表示を停止し、前記リストから削除されたネットワーク端末の表示手段に前記表示画像情報を表示することを特徴とする請求項５に記載のテレビ受信装置。
【請求項１０】
取得したネットワーク端末の位置情報を基にリストを作成し、表示画像情報送信先のネットワーク端末が前記リストに登録された場合、前記ネットワーク端末が表示中の表示画像情報の表示を停止し、表示手段に前記表示画像情報を表示することを特徴とする請求項５に記載のテレビ受信装置。
【発明の詳細な説明】
【技術分野】
【０００１】
本発明は、テレビ受信装置、ネットワーク端末及びネットワーク制御システムに関し、更に詳しく述べると、携帯端末と連携し、外出先でも家庭内のテレビ受信装置の制御可能なコンテンツを制御・視聴することが可能なネットワークシステムにおいて、視聴先装置の切り換えを特別な操作なしに簡単に行うことの出来るシームレスな視聴環境をユーザに提供することを可能にするテレビ受信装置、ネットワーク端末及びネットワーク制御システムに関する。
【背景技術】
【０００２】
デジタル放送波を携帯電話及びＰＤＡ（Ｐｅｒｓｏｎａｌ  Ｄｉｇｉｔａｌ  Ａｓｓｉｓｔａｎｃｅ）などの携帯端末で視聴する技術、及び、テレビ受信装置で受信した放送コンテンツ又はテレビ受信装置で制御可能な蓄積コンテンツを携帯端末に送信し視聴する技術の実現が期待されている。これらの技術により、ユーザは、家庭のリビングルームから離れた場所にいながら、コンテンツの視聴を楽しむことが可能になる。
【０００３】
一例に、地上波デジタル放送が挙げられる。地上波デジタル放送の特徴の一つとして、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ）を採用したことでマルチパス干渉に強いことが挙げられる。従って、移動によって電波の干渉条件が時々刻々変化しても、映像が乱れにくい。屋外に設置するような大型アンテナを使用せずに、機器に内蔵した小型アンテナで電波を受信できる。こうした技術的な特徴を基に、携帯端末で放送コンテンツを視聴するといった技術が確立されようとしている。
【０００４】
また、一度蓄積したコンテンツを携帯端末で受信する技術も期待されている。このような装置、方法及びシステムが、特許文献１に記載されている。ここに記載される技術では、携帯端末からネットワークを介してテレビ放送受信機能付き録画機に録画要求を送信し、この録画要求を受信した録画機は、指定されたコンテンツを録画すると共に、携帯端末からの指示に従いネットワークを介して録画コンテンツを携帯端末に送信する。この技術を用いることで、外出先から、蓄積したコンテンツを携帯端末で視聴することが可能になる。
【特許文献１】特開２００２-７７８３９号公報
【発明の開示】
【発明が解決しようとする課題】
【０００５】
携帯端末により外出先でも家庭内のテレビ受信装置のコンテンツを制御・視聴することが可能なテレビ受信装置やネットワークシステムは、ユーザニーズも大きく、大変期待されている技術である。
【０００６】
この種の技術により、ユーザは、予期せぬ突然の外出や録画予約のし忘れなどにより所望のコンテンツを見逃してしまうという危険性を回避することが出来るばかりか、移動中に所望のコンテンツを見られることになり、時間をより有効に活用することが可能になる。
【０００７】
しかし、上記技術を利用するにあたり、操作性とユーザ・インタフェースに関して，改善すべき幾つかの課題がある。その一つは、携帯端末とテレビ受信装置の間でコンテンツ表示先を切り換える際、その操作が煩雑になることである。
【０００８】
例えば、自宅のテレビ受信装置で制御可能な蓄積コンテンツをそのテレビ受信装置で視聴している時に外出しなければならなくなった場合を想定する。ユーザは、コンテンツの表示が可能な携帯端末を持って外出する。そしてコンテンツの表示先をテレビ受信装置から携帯端末に切り換え、引き続きコンテンツの視聴を試みる。この際に起こりうるユーザ操作の一例として、以下のような手順が考えられる。まず、テレビ受信装置で再生中のコンテンツを停止させ、携帯端末の選択など転送先の設定を行い、更にテレビ受信装置の電源を待機状態にするか又は表示部の電源をオフにして外出する。移動中は、携帯端末から操作対象となるテレビ受信装置を選択し、選択したテレビ受信装置からコンテンツを受信できるように設定を行い、コンテンツを選択してから送信を要求する。更に、コンテンツのフォーマット又は記憶媒体によっては、コンテンツの再生位置を調整する。以上のような手続きを一通り行って初めて、携帯端末で続きを視聴することが出来る。
【０００９】
反対に、外出先で携帯端末を用いてテレビ受信装置で制御可能な蓄積コンテンツを視聴しつつ、帰宅した場合を想定する。このとき、ユーザは、コンテンツの表示先を携帯端末からテレビ受信装置に切り換えることが予想される。その際に起こりうるユーザ操作の一例として、以下のような手順が考えられる。まず、帰宅までに再生中の蓄積コンテンツを停止させるために、携帯端末からテレビ受信装置にコンテンツ送信停止の要求を送信する。帰宅後は、テレビ受信装置又は表示部の電源をオンにし、テレビ受信装置で視聴する蓄積コンテンツを選択し、テレビ受信装置の表示部に再生するように設定する。更に、コンテンツのフォーマット又は記憶媒体によっては、コンテンツの再生位置を調整する。以上のような手続きを一通り行って初めて、テレビ受信装置で続きを視聴することが出来る。
【００１０】
コンテンツ表示先の切り換えには上記したような操作が考えられる。ユーザは、連続的にコンテンツを視聴するためには、外出時又は帰宅直後に上記した複数の操作を一度に強いられることになる。テレビのようなコンシューマ製品は、パーソナルコンピュータ等とは異なり、より広いユーザ層が利用すると考えられる。その中には、機器の細かな操作に精通しているとは言いかねるユーザもおり、そのようなユーザが上述したような操作を好んで遂行するとは非常に考えがたい。例え技術的に優れ、ユーザからの期待が大きくても、ユーザ・インタフェースの観点からユーザに支持され無いが故に、広く普及しないといったことも十分考えられる。
【００１１】
このように、携帯端末とテレビ受信装置との間でコンテンツの表示先を切り換える場合、操作性とユーザ・インタフェースの観点から改善すべき問題点があり、本発明の目的は、このような問題点を解決し、表示先の切り換え操作を誰でも簡単に行うことを可能にすることである。
【課題を解決するための手段】
【００１２】
本出願の請求項１に係る発明は、ネットワークと、前記ネットワークに接続されるネットワーク端末であって、位置情報通信手段と、表示画像情報受信手段と、前記受信した表示画像情報をユーザに提示する表示手段とを有するネットワーク端末と、前記ネットワークに接続されるテレビ受信装置であって、前記ネットワーク端末から位置情報を取得する位置情報取得手段と、表示画像情報送信手段と、前記表示画像情報をユーザに提示する表示手段とを有するテレビ受信装置とを具備するネットワーク制御システムであって、前記ネットワーク端末が前記テレビ受信装置に対し位置情報を提供し、前記テレビ受信装置は、取得したネットワーク端末の位置情報に基づいて表示画像情報の送信を制御する点に特徴を有する。
【００１３】
請求項２に記載の発明は、ネットワークに接続されたネットワーク端末から位置情報を取得する位置情報取得手段と、表示画像情報送信手段と、前記表示画像情報をユーザに提示する表示手段とを有するテレビ受信装置であって、前記ネットワーク端末から取得した位置情報に基づいて表示画像情報の送信を制御する点に特徴を有する。
【００１４】
請求項３に記載の発明は、ネットワークに接続されたテレビ受信装置に位置情報を提供する位置情報通信手段と、前記表示画像情報を受信する表示画像情報受信手段と、受信した表示画像情報をユーザに提示する表示手段を有するネットワーク端末であって、前記提供した位置情報に基づいて表示画像情報を受信する点に特徴を有する。
【００１５】
請求項４に記載の発明は、ネットワークと、前記ネットワークに接続されるネットワーク端末であって、位置情報通信手段と、表示画像情報受信手段と、前記受信した表示画像情報をユーザに提示する表示手段とを有するネットワーク端末と、前記ネットワークに接続されるテレビ受信装置であって、前記ネットワーク端末から位置情報を取得する位置情報取得手段と、表示画像情報送信手段と、前記表示画像情報をユーザに提示する表示手段とを有するテレビ受信装置とを具備するネットワーク制御システムであって、前記ネットワーク端末が前記テレビ受信装置に対し位置情報を提供し、前記テレビ受信装置は、取得したネットワーク端末の位置情報に基づいて表示画像情報の表示先を制御する点に特徴を有する。
【００１６】
請求項５に記載の発明は、ネットワークに接続されたネットワーク端末から位置情報を取得する位置情報取得手段と、表示画像情報送信手段と、前記表示画像情報をユーザに提示する表示手段とを有するテレビ受信装置であって、前記ネットワーク端末から取得した位置情報に基づいて表示画像情報の表示先を制御する点に特徴を有する。
【００１７】
請求項６に記載の発明は、ネットワークに接続されたテレビ受信装置に位置情報を提供する位置情報通信手段と、前記表示画像情報を受信する受信手段と、受信した表示画像情報をユーザに提示する表示手段とを有するネットワーク端末であって、前記提供した位置情報に基づいて表示画像情報を表示する点に特徴を有する。
【００１８】
請求項７に記載の発明は、請求項２に記載の発明に於いて、取得したネットワーク端末の位置情報を基にリストを作成し、前記リストから削除されたネットワーク端末に対して表示画像情報の送信を開始する点に特徴を有する。
【００１９】
請求項８に記載の発明は、請求項２に記載の発明に於いて、取得したネットワーク端末の位置情報を基にリストを作成し、表示画像情報送信先のネットワーク端末が前記リストに登録された場合、前記ネットワーク端末に対する表示画像情報の送信を停止する点に特徴を有する。
【００２０】
請求項９に記載の発明は、請求項５に記載の発明に於いて、取得したネットワーク端末の位置情報を基にリストを作成し、ネットワーク端末が前記リストから削除された場合、表示中の表示画像情報の表示を停止し、前記リストから削除されたネットワーク端末の表示手段に前記表示画像情報を表示する点に特徴を有する。
【００２１】
請求項１０に記載の発明は、請求項５に記載の発明に於いて、取得したネットワーク端末の位置情報を基にリストを作成し、表示画像情報送信先のネットワーク端末が前記リストに登録された場合、前記ネットワーク端末が表示中の表示画像情報の表示を停止し、表示手段に前記表示画像情報を表示する点に特徴を有する。
【発明の効果】
【００２２】
本発明により、非常に煩雑な操作が予想されるコンテンツ視聴先の切り換え操作に於いて、最適なユーザ・インタフェースを提供することで、シームレスで快適な視聴環境を実現することが出来るようになった。
【００２３】
例えば、ユーザが携帯端末を持って外出する際、今までテレビ受信装置で視聴していたコンテンツを特別な設定なしに外出先の携帯端末で引き続き視聴することが可能になり、更に外出先で携帯端末にてテレビ受信装置が制御可能なコンテンツを視聴しながら帰宅した際、特別な設定なしに自宅のテレビ受信装置で引き続き視聴することが可能になる。このように今まででは煩わしかった操作の殆どまたは全てを排除することが可能となり、携帯端末による視聴システムの利便性を更に向上させることが可能となる。
【発明を実施するための最良の形態】
【００２４】
以下、図面を参照して、本発明の実施例を詳細に説明する。
【実施例１】
【００２５】
図１は、本発明の一実施例であるデジタルテレビ受信装置１００の概略構成ブロック図を示す。
【００２６】
不図示のアンテナで受信された信号はチューナ部１０１に入力する。チューナ部１０１は、入力信号に復調及び誤り訂正等の処理を施し、トランスポートストリームと呼ばれる形式のデジタルデータを生成する。生成されたトランスポートストリーム（ＴＳ）データは、デスクランブラ１０２に入力する。
【００２７】
デスクランブラ１０２は、視聴制限のためのスクランブルがかけられているＴＳデータがチューナ部１０１から入力された場合、ＴＳデータに含まれるデスクランブルのための鍵情報とＩＣカード制御部１１７から出力される鍵情報とに基づいて、スクランブルを解除し、スクランブルを解除したＴＳデータをデマルチプレクサ１０３に出力する。
【００２８】
ＩＣカード部１１７は、ユーザの契約情報及びＴＳデータに含まれるデスクランブラのための鍵情報を解くための鍵情報が格納されているＩＣカードを含み、デスクランブラ１０２から入力されたデスクランブルのための鍵情報を解くための鍵情報があった場合、その鍵情報をデスクランブラ１０２に出力する。
【００２９】
また、デスクランブラ１０２は、チューナ部１０１からスクランブルがかけられていないＴＳデータが入力した場合には、そのＴＳデータをそのままデマルチプレクサ１０３に出力する。デスクランブラ１０２の出力データは、複数チャネル分の映像音声データ、電子番組ガイド（ＥＰＧ）データ及びデータ放送データ等が時分割多重化されたＴＳデータである。
【００３０】
デマルチプレクサ１０３は、デスクランブラ１０２から入力するＴＳデータの中から、操作部１１４又はリモコン１１６の操作により選択されたチャネルの映像データＤ１及び音声データＤ２を取り出し、映像データＤ１をビデオデコーダ１０４に出力し、音声データＤ２をオーディオデコーダ１０５に出力する。また、デマルチプレクサ１０３は、ＴＳデータからデータ放送／ＥＰＧデータＤ３を取り出し、データストリーム処理部１０６に出力する。データストリーム処理部１０６によって処理されたデータ放送／ＥＰＧデータは、バス１２０を介してメモリ１０７に取り込まれ、ＣＰＵによるソフトウェア処理の後に不図示の記録媒体に格納される。
【００３１】
ＴＳデータはパケット単位で伝送される。そのパケットの先頭部分には、ＰＩＤ（Ｐａｃｋｅｔ  ＩＤｅｎｔｉｆｉｃａｔｉｏｎ）が付加されている。デマルチプレクサ１０３は、このＰＩＤを読み取ることで、映像データＤ１、音声データＤ２及びデータ放送／ＥＰＧデータＤ３を識別する。
【００３２】
映像データの処理を説明する。ビデオデコーダ１０４は、デマルチプレクサ１０３から出力される映像データＤ１にＭＰＥＧ２デコード処理を施し、復号した映像データを表示制御部１０９に出力する。表示制御部１０９は、ビデオデコーダ１０４及び画面構成部１０８からの画像データを、リモコン１１６の操作に応じて、切り換え又は多重して画像表示部１１２に表示させる。複数の画像データ・音声データ・データ放送／ＥＰＧデータを受信した場合は、ここで画像を合成し、画像表示部１１２に出力する。画面表示部１１２は、不図示のモニタ及び映像信号入力端子を含む。
【００３３】
次に、音声データの処理を説明する。オーディオデコーダ１０５は、デマルチプレクサ１０３から出力される音声データＤ２にＭＰＥＧ２デコード処理を施し、復号した音声データをデジタル／アナログ変換器（ＤＡＣ）１１０に印加する。ＤＡＣ１１０は、オーディオデコーダ１０５から出力される音声データをアナログ信号に変換して、音声出力部１１３に印加する。音声出力部１１３は、不図示のスピーカ及び音声信号入力端子を含む。
【００３４】
データ放送／ＥＰＧデータＤ３の処理を説明する。電子番組ガイド（ＥＰＧ）データは、社団法人電波産業会（通称「ＡＲｉＢ」）に於ける標準規格「デジタル放送に使用する番組陳列情報」等で規定されるデータ構造で伝送される。主要な構成データとして、編成チャンネルの名称及び放送事業者の名称等の、編成チャンネルに関する情報を伝送するＳＤＴ（Ｓｅｒｖｉｃｅ  Ｄｅｓｃｒｉｐｔｉｏｎ  Ｔａｂｌｅ）、ブーケ（編成チャンネルの集合）の名称及び含まれる編成チャンネル等の、ブーケに関する情報を伝送するＢＡＴ（Ｂｏｕｑｕｅｔ  Ａｓｓｏｃｉａｔｉｏｎ  Ｔａｂｌｅ）、番組の名称、放送開始日時及び内容の説明等の、番組に関する情報を伝送するＥＩＴ（Ｅｖｅｎｔ  Ｉｎｆｏｒｍａｔｉｏｎ  Ｔａｂｌｅ）、並びに、現在の日付・時刻の情報を伝送するＴＤＴ（Ｔｉｍｅ  Ｄａｔａ  Ｔａｂｌｅ）等がある。
【００３５】
データ放送／ＥＰＧデータＤ３は、ＳＤＴ、ＥＩＴ及びＴＤＴ等のデータを含む。データストリーム処理部１０６は、先ずＴＤＴを読み出し、現在時刻の情報を取得すると共に、ＣＰＵ１１８に現在時刻の情報を出力する。ＣＰＵ１１８は、現在時刻に対応したＥＰＧ表示の時間帯を判別し、適当な時間帯情報をデータストリーム処理部１０６に出力する。
【００３６】
次に、データストリーム処理部１０６は、ＣＰＵ１１８からの時間帯情報に基づいて、メモリ１０７からＳＤＴを読み出し、番組表の有無を確認し、自他ストリームのチャンネル名及びチャンネル番号等の情報を取得する。データストリーム処理部１０６は、更に、メモリ１０７からＥＩＴを読み出し、自他ストリームの各チャンネル中の番組名、その開始時刻、カテゴリ及び番組の説明等の情報を取得する。データストリーム処理部１０６は、メモリ１０７から読み出されたデータ放送／ＥＰＧデータＤ３にデコード処理を施し、復号されたＥＰＧデータを画面構成部１０８に出力する。
【００３７】
画面構成部１０８は、データストリーム処理部１０６からのＥＰＧデータに基づいて、ＥＰＧ画面を構成する為のキャラクタ信号を表示制御部１０９に出力する。
【００３８】
表示制御部１０９は、操作部１１４及びリモコン１１６の操作に応じて、ビデオデコーダ１０４から出力される映像データに係る映像と、画面構成部１０８から出力されるキャラクタ信号に係るＥＰＧ画面を切り換えて表示するように、画像表示部１１２に映像信号を出力する。表示制御部１０９は、操作部１１４及びリモコン１１６でＥＰＧ画面表示の指示操作があった場合、画面構成部１０８から出力されるキャラクタ信号のＥＰＧ画面を映像表示部１１２に出力する。
【００３９】
データ放送では、ＩＳＯ／ＩＥＣ１３８１８−６に規定されているＤＳＭ−ＣＣのデータカルーセル方式により放送局から繰り返しデジタルデータが送出される。デマルチプレクサ１０３によってフィルタリングされたデータ放送データは、テキスト情報、スクリプト情報、画像情報及び映像・音声データを含み、テキスト情報は、Ｗ３Ｃの規定するＸＭＬ（ｅＸｔｅｎｓｉｂｌｅ  Ｍａｒｋｕｐ  Ｌａｎｇｕａｇｅ）によって記述されている。
【００４０】
データストリーム処理部１０６は、データ放送／ＥＰＧデータＤ３から、テキスト情報と画像情報からなるＥＰＧデータと、テキスト情報、画像情報及び映像・音声データからなるデータ放送データを復号処理し、これらのデータは、バス１２０を介してメモリ１０７に格納される。
【００４１】
受光部１１５は、リモコン１１６又は図示しない携帯端末を使ったユーザの操作情報を赤外線信号として受信し、バス１２０を介してＣＰＵ１１８に送信する。
【００４２】
ＣＰＵ１１８は、種々の情報に従い、テレビ受信装置１００を統合的に制御する。
【００４３】
バス１２０には更に、ＩＥＥＥ１３９４インターフェース１２１、エンコーダ１２２、通信制御部１２３及び無線タグリーダ１２４が接続する。ＩＥＥＥ１３９４インターフェース１２１は、テレビ受信装置１００に外部のＤ-ＶＨＳ１３０及びプリンタ１３１等を接続するのに使用される。エンコーダ１２２は、Ｄ-ＶＨＳ１３０及び不図示の記憶媒体からの蓄積コンテンツデータを携帯端末の受信・再生に適したデータフォーマットに変換する為に用いられる。通信制御部１２３はインターネットに接続し、携帯端末とＴＣＰ／ＩＰを用いて通信を行うことが可能である。
【００４４】
無線タグリーダ１２４は、後述する携帯端末に内蔵された無線タグ（例えば、ＲＦＩＤタグ）のメモリからその情報を読み出す装置である。無線タグは、非接触小型ＩＤタグであり、携帯端末などに内蔵され、情報発信するネットワーク装置である。無線タグに記憶されるデータを自動的に読み取り、ネットワークに送信する構成を備えることで、様々なものに取り付けられた無線タグがネットワークに情報発信することが可能になる。無線タグ及び無線タグリーダ１２４の詳細は、後述する。
【００４５】
図２はＤ−ＶＨＳ１３０の概略構成ブロック図を示す。ＩＥＥＥ１３９４インターフェース２０１は、他のＩＥＥＥ１３９４インターフェース、この実施例では、テレビ受信装置１００のＩＥＥＥ１３９４インターフェース１２１に接続する。Ｄ−ＶＨＳ本体部２０２は、映像音声データを記録媒体に記録し、記録媒体の記録映像音声データ（ビデオデータ）を再生する。エンコーダ／デコーダ２０３は、テレビ受信装置１００との間で映像データを送受信するためにデータフォーマットを変換する。制御部２０４は、Ｄ-ＶＨＳ本体部２０２とエンコーダ／デコーダ２０３を統括的に制御する。
【００４６】
テレビ受信装置１００は、リモコン１１６及び後述する携帯端末経由により、ユーザからＤ−ＶＨＳ１３０の制御要求を受けた場合、ＩＥＥＥ１３９４  ＡＶＣコマンドによる通信プロトコルを用いてＤ−ＶＨＳ１３０を制御する。ここで説明する蓄積コンテンツは、Ｄ−ＶＨＳ１３０に蓄積されているものとする。
【００４７】
無線タグ及び無線タグリーダ１２４の作用を詳しく説明する。無線タグには種々の呼称と規格があるが、本明細書での無線タグは、無線通信ＩＣとアンテナとからなり、いわゆる「ＲＦＩＤタグ」、「非接触ＩＤタグ」及び「無線ＩＤタグ」の何れをも含む。
【００４８】
無線タグは、その形状と大きさは様々であるが、一般に、軽薄短小でＩＴ機器のみならず、身分証及び食料品など様々な物品への搭載が可能である。また、その基本的な機能は極めてシンプルであり、専用の読み取り／書き込み装置（無線タグリーダ／ライタ）からの要求に応じて、内蔵メモリからのデータ読み出しと、外部からのデータ書き込みが可能である。データ容量が大きく、通信距離も５〜６ｍと長く、また経年劣化及び不正な複製などにも強いという特徴がある。
【００４９】
図３は、無線タグと無線タグリーダ１２４の概略構成ブロック図を示す。
のＩＣ部分に集積されている回路構成を示す。無線タグ３００は、データを格納するメモリ３０１、ロジック回路３０２、無線通信用のＲＦ回路３０３及びアンテナ３０４を具備する。メモリ３０１は、例えば、ＥＥＰＲＯＭ、ＦｅＲＡＭ又はＲＯＭからなる。ロジック回路３０２は、メモリ３０１とＲＦ回路３０３を中継する。
【００５０】
無線タグリーダ１２４は、アンテナ３０５，無線通信用のＲＦ回路３０６、制御部３０７及び通信処理部３０８を具備する。制御部３０７は、無線タグリーダ１２４の全体を制御する。通信処理部３０８は、バス１２０に接続する。無線タグリーダ／ライタも、無線タグへの書き込み機能を具備する点を除いて、基本的な構成は、図３に示す無線タグリーダ１２４の構成と同じである。
【００５１】
無線タグリーダ１２４は、無線タグ３００に向けた電波をアンテナ３０５から放出する。無線タグ３００は、無線タグリーダ１２４のアンテナ３０５から出力される電波をアンテナ３０４で受信する。無線タグ３００は、受信した電波から、メモリ３０１，ロジック回路３０２及びＲＦ回路３０３の電源を生成する。ロジック回路３０２は、無線タグリーダ１２４からの指令を解釈し、メモリ３０１から該当するデータを読み出す。読み出されたデータは、ロジック回路３０２，ＲＦ回路３０３、アンテナ３０４、アンテナ３０５及びＲＦ回路３０６を介して制御部３０７に入力する。制御部３０７は、無線タグ３００から読み出したデータを通信処理部３０８及びバス１２０を介してＣＰＵ１１８に送信する。
【００５２】
無線タグのメモリ３０１には、その機器を一意に表す固有のデバイスＩＤ、及び携帯端末が保持するＩＰアドレスが格納されている。ＩＰについては、すでに広く普及している技術のであるので、詳細な説明を省略する。ここでは、１２８ｂｉｔのアドレスフィールドを持つＩＰｖ６を利用するものとする。図４は、デバイスＩＤのフォーマットを示す。デバイスＩＤは６４ｂｉｔからなり、先頭の３ｂｙｔｅには、ＩＥＥＥが管理し割当を行っているベンダーＩＤが配置される。続く１ｂｙｔｅには、後述する表示識別子が配置される。残り４ｂｙｔｅには、各ベンダーが独自で重複しないように管理するＩＤが格納される。
【００５３】
表示識別子は、テレビ受信装置１００から送信されるコンテンツの表示が可能か否かを表す識別子である。表示が可能な場合には’０ｘ０１’が格納され、そうでない場合には’０ｘ００’が格納される。表示識別子の上位７ｂｉｔは、表示装置の大きさと特性を示す為の拡張フラグとして予約され、将来的には様々な機器にそれぞれ適したコンテンツの配信が可能になるように配慮されている。
【００５４】
一例として、ＩＥＥＥで割り当てられたベンダーＩＤが”０ｘＡＣＤＥ４８”のベンダーが、特定のデバイスを識別する為に”０ｘ４５６７ＡＢＣＤ”のＩＤを割り当てたコンテンツの表示可能なデバイスのデバイスＩＤを、図４に例示した。このようなデバイスＩＤの割り当てを行うことで、結果として、世界中で同一のＩＤを持つ機器及び無線タグは存在しないことになる。
【００５５】
無線タグリーダ１２４を保有するテレビ受信装置１００は、無線タグ３００を内蔵したデバイスが通信距離の範囲外から範囲内に入ったことを検出すると、メモリ１０７に格納しているデバイスリストにそのデバイスのデバイスＩＤ及びＩＰアドレスを追加する。他方、無線タグ３００を内蔵したデバイスが通信距離の範囲内から範囲外に出たとき、メモリ１０７に格納しているデバイスリストからそのデバイスのデバイスＩＤ及びＩＰアドレスを削除する。
【００５６】
テレビ受信装置１００は、デバイスリストに追加されたデバイス及びデバイスリストから削除されたデバイスを識別する為に、変更前後の２つのデバイスリストを保持し、比較する。デバイスの識別が完了した際、変更前のデバイスリストを破棄する。
【００５７】
通信距離の範囲は、無線タグが通信を行うことの出来る範囲であり、規格にも依存するが、通常、０〜６ｍの間で設定可能である。ユーザは、テレビ受信装置１００の位置と部屋の大きさなどを考慮し、通信距離を設定する。通信距離の範囲内では、テレビ受信装置１００で視聴を行い、通信距離の範囲外では後述する携帯端末５００で視聴を行うことを想定している。
【００５８】
図５は、携帯電話５００の外観を示し、図６は、携帯端末の概略構成ブロック図を示す。
【００５９】
携帯電話５００には、送受信用のアンテナ５０１が引き出し及び収容可能に取り付けられている。スピーカ５０２から通話先の音声が出力される。表示部５０３は、電波状態及び保存されている電話帳などの各種情報を表示するとともに、テレビ受信装置１００からのコンテンツデータを表示可能である。各種操作のための操作キー５０４は、テンキーを含む。マイクロフォン５０５は、通話時のユーザの音声を集音する。携帯電話本体部５０７は、アンテナ５０１及びマイクロフォン５０５を含む一般的な携帯電話の機能を提供する。通信制御部５０８は、公衆回線網に設けられたサーバを介して簡易トランスポートプロトコルによりインターネットに接続する機能を具備する。デコーダ５０９は、通信制御部５０８で受信したコンテンツデータをデコードし、表示部５０３に出力する。携帯電話５００は、図３に図示した無線タグ３００を収容する。
【００６０】
図７は、本実施例で使用するネットワークシステムの一例を示す。携帯端末５００は、例えばＷ-ＣＤＭＡ（Ｗｉｄｅｂａｎｄ-Ｃｏｄｅ  Ｄｉｖｉｓｉｏｎ  Ｍｕｌｔｉｐｌｅ  Ａｃｃｅｓｓ）などにより固定無線基地局６０１と無線接続されている。Ｗ−ＣＤＭＡでは、高速移動時１４４ｋｂｐｓ、歩行時３８４ｋｂｐｓ、静止時２Ｍｂｐｓのデータ伝送能力があり、動画・音声によるリアルタイムの通信が可能となっている。固定無線基地局６０１は、更に、ゲートウェイの役割を果たしており、後述するＴＣＰとｗ-ＴＣＰ（Ｗｉｒｅｌｅｓｓ  Ｐｒｏｆｉｌｅｄ  ＴＣＰ）のインターフェースとなる。
【００６１】
固定無線基地局６０１は有線で公衆回線網６０２に接続し、公衆回線網６０２は、インターネット６０３、並びに図示しない多くの加入者有線端末及びコンピュータネットワークに接続する。インターネット６０３には図示しないＷＷＷサーバを含む多数のサーバが接続し、携帯端末５００及びテレビ受信装置１００は、これらのサーバと及びお互いにＴＣＰ／ＩＰプロトコル及び簡易トランスポートプロトコルに従って通信可能である。ゲートウェイ６０４は、インターネット６０３とテレビ受信装置１００との間のインターフェースの役割を果たす。
【００６２】
テレビ受信装置１００は、ＩＥＥＥ１３９４  ＡＶＣコマンドによりＤ−ＶＨＳ１３０を制御し、コンテンツをインターネット６０３を介して携帯端末５００に送出する。テレビ受信装置１００からインターネット６０３を介して固定無線基地局６０１までは、全てＴＣＰ／ＩＰプロトコルが使用され、固定無線基地局６０１から携帯端末５００までは、簡易トランスポートプロトコルが使用される。
【００６３】
このようなネットワークシステムを使用することにより、携帯端末６００からテレビ受信装置１００に制御信号を送信したり、テレビ受信装置１００からＤ-ＶＨＳ１３０の蓄積コンテンツを読み出して携帯電話５００等に送信したりすることが出来る。
【００６４】
テレビ受信装置１００でＤ−ＶＨＳ１３０のコンテンツを視聴している際に外出しなければならなくなった状況を想定する。携帯電話５００は、もちろん、テレビ受信装置１００のメモリ１０７に格納されているデバイスリストに登録されている。図８は、このように視聴途中で携帯電話５００を持って外出する場合の、テレビ受信装置１００及び携帯電話５００の動作フローを示す。
【００６５】
ユーザがテレビ受信装置１００でコンテンツを視聴しているときに（Ｓ７０１）、携帯電話５００を持って外出する為に動き出したとする。無線タグリーダ１２４の通信距離は、上述したように０〜６ｍの範囲内に設定可能である。テレビ受信装置１００は、常に設定通信距離内にあるデバイスの情報を受け取っており、これに基づきメモリ１０７に格納しているデバイスリストを管理している。
【００６６】
携帯電話５００がテレビ受信装置１００から設定通信距離の範囲外に出ると、テレビ受信装置１００は、デバイスリストを更新する（Ｓ７０２）。そして、テレビ受信装置１００は、更新前のデバイスリストと更新後のデバイスリストを比較し、携帯電話５００が削除されたことを認識する。削除されたデバイス（ここでは、携帯電話５００）のデバイスＩＤ内表示識別子を確認し、コンテンツ転送可能なデバイスか否かを判断する（Ｓ７０３）。
【００６７】
削除されたデバイスがコンテンツの転送不可能なデバイスであった場合、テレビ受信装置１００は、コンテンツを表示し続ける（Ｓ７０１）。他方、削除したデバイスがコンテンツ転送可能なデバイスであった場合、テレビ受信装置１００は、削除したデバイス（ここでは、携帯電話５００）に上述した通信手段でコンテンツの再生を促すようなメッセージを送信する（Ｓ７０４）。メッセージを送信したテレビ受信装置１００は、携帯電話５００からの応答に依らず、コンテンツの再生を一時停止するＡＶＣコマンドをＤ−ＶＨＳ１３０に送信し、更に、表示装置の電源をオフにするか又は本体を待機状態にする（Ｓ７０５）。これにより、ユーザは、特別な設定なくコンテンツをテレビ受信装置１００で視聴しながら外出することが出来る。
【００６８】
メッセージを受信した携帯電話５００は、データを解析し、その内容を表示する（Ｓ７０６）。ここでは、図９は、受信メッセージの表示例を示す。携帯電話５００でこのメッセージを見たユーザは、操作キー５０４を用いてメッセージの問いに対する答えを選択し、テレビ受信装置１００に回答する（Ｓ７０７）。メッセージ送受信の詳細は、後述する。
【００６９】
テレビ受信装置１００は、携帯電話５００からの応答を受信し（Ｓ７０８）、応答内容を判断する（Ｓ７０９）。携帯電話５００からの応答がコンテンツ再生を拒否するものであった場合、テレビ受信装置１００は、一時停止していたコンテンツを完全に停止させるためのＡＶＣコマンドをＤ−ＶＨＳ１３０に送信する（Ｓ７１０）。他方、携帯電話５００からの応答がコンテンツ再生を要求するものであった場合、テレビ受信装置１００は、図１０に示すような操作パネルを携帯電話５００に送信し（Ｓ７１１）、継体電話５００は、その操作パネルを表示する（Ｓ７１２）。
【００７０】
その後、Ｄ−ＶＨＳ１３０に一時停止していたコンテンツの再生を指示するＡＶＣコマンドを送信し（Ｓ７１３）、Ｄ−ＶＨＳ１３０からのデータをエンコーダ１２２により携帯電話５００の表示に適したフォーマットに変換する（Ｓ７１４）。Ｄ−ＶＨＳ１３０の再生及びエンコーダ１２２によるフォーマット変換を行いながら、順次、通信制御部１２３を介してコンテンツを携帯電話５００に送信する（Ｓ７１５）。携帯電話５００は、転送されたコンテンツを順次受信、再生し、ユーザに提示する（Ｓ７１６）。
【００７１】
図９に示すメッセージ及び図９に示す操作パネルの通信手順を説明する。テレビ受信装置１００は、メッセージ及び操作パネル等の図１１に示すようなデータを携帯電話５００に送信する。データ識別子は、このデータが後述する通信手順に基づいていることを示す識別子である。パネルＩＤは、メッセージ又は操作パネルの基と成るパネルを示す識別子である。データ長は、引き続くデータの長さ（バイト単位）を示す。サイズは、パネルの大きさとして幅と高さをＰｉｘｅｌ単位で示す。リンク数は、このパネルに含まれるＧＵＩエレメントの数を示す。ＧＵＩエレメントとは、図９及び図１０で表示されている文字及び選択肢であり、その種類は、文字を表す”ラベル”、ボタン又は選択肢を表す”ボタン”、及び文字を入力する”テキストボックス”などがある。リンク数の次には、実際にリンクされるＧＵＩエレメントを示す識別子（エレメントＩＤ）がリンク数の数だけ続く。以降、リンクされる各ＧＵＩエレメントのデータが格納される。各ＧＵＩエレメントデータは、上述のエレメントＩＤ、続くエレメントデータの長さを示すデータ長（バイト単位）、サイズとしての幅と高さ（ｐｉｘｅｌ単位）、パネルを基準とした表示位置（ｐｉｘｅｌ単位）、及び実データからなる。更に、実データには、テキスト／ビットマップ／音声などのデータの種類を示すタイプ、及び続く実データの長さを示すデータ長（バイト単位）が格納され、最後に実際のデータ列が格納されている。
【００７２】
このようなデータを受信した携帯電話５００は、データ識別子を見て解析をはじめる。データ構造に格納されているデータに従い表示した結果、図９及び図１０に示すようなパネルが表示される。ユーザは、携帯電話５００の操作キー５０４を用いて、図９及び図１０に示すような画面例の選択肢（”はい”／”いいえ”／”後で再生”など）を選択する。携帯電話５００は、現在、表示されているパネルのパネルＩＤ及びそのパネルで選択された選択肢のエレメントＩＤをテレビ受信装置１００に送信する。テレビ受信装置１００は、受信したパネルＩＤ及びエレメントＩＤより継体電話５００のユーザの要求を認識し、先に説明したように要求に応じた処理を実行する。
【００７３】
以上のような手順により、屋内のテレビ受信装置１００で視聴中していたユーザが携帯電話５００を持って外出すると、煩雑な操作を行うことなく、外出先で続きのコンテンツを視聴できる。
【００７４】
次に、外出先から携帯電話５００を用いてテレビ受信装置１００に接続されたＤ−ＶＨＳ２００のコンテンツを視聴しながら帰宅した際の、テレビ受信装置１００及び携帯電話５００の動作を説明する。図１２は、その動作フローを示す。
【００７５】
ユーザは、携帯電話５００でコンテンツを視聴しながら帰宅する（Ｓ１１０１、Ｓ１１０２）。無線タグを収容する携帯電話５００がテレビ受信装置１００の無線タグリーダ１２４の通信距離範囲内に入ると、テレビ受信装置１００は、デバイスリストを更新する（Ｓ１１０３）。テレビ受信装置１００は、更新前後のデバイスリストを比較し、携帯電話５００が追加されたことを認識する。テレビ受信装置１００は、追加されたデバイスが、現在、コンテンツを送信中のデバイスか否かを判定する（Ｓ１１０４）。
【００７６】
追加されたデバイスが現在、コンテンツを送信中のデバイスでなかった場合、引き続きコンテンツの転送を行う。他方、追加されたデバイスが現在、コンテンツ送信中のデバイスであった場合、コンテンツの送信を停止し（Ｓ１１０５、Ｓ１１０６）、再生を一時停止する為のＡＶＣコマンドをＤ-ＶＨＳ１３０に送信し（Ｓ１１０７）、表示装置に図１３に示すようなメッセージを表示する（Ｓ１１０８）。テレビ受信装置１００の画像表示部１１２には、一時停止中の静止画が表示され（１２００）、その上に、続きをテレビ受信装置１００で再生するか否かをユーザに問うメッセージ１３０１が表示される。
【００７７】
ユーザがリモコン１１６又は操作部１１４を用いて再生する旨の選択肢を選択した場合、そのコンテンツは、テレビ受信装置１００で表示される（Ｓ１１１１）。他方、再生しない旨の選択肢を選択した場合、テレビ受信装置１００は、一時停止中の再生コンテンツを停止させる為のＡＶＣコマンドをＤ−ＶＨＳ１３０に送信する（Ｓ１１１０）。
【００７８】
以上のような手順により、外出先から携帯電話５００を用いて屋内のテレビ受信装置１００のコンテンツを視聴していたユーザが帰宅し、テレビ受信装置１００に近づき通信範囲内に入った場合、煩雑な操作を行うことなく、テレビ受信装置１００で続きを視聴することが可能になる。
【００７９】
本実施例では、テレビ受信装置１００と携帯端末５００の間でコンテンツの表示先を切り換える場合、ユーザに切り換えを促すメッセージを提示し、これにより得られるユーザからの指示に従うとしたが、このようなユーザ・インタラクションを介さずに、コンテンツの表示先を自動的に切り換えるという構成にするようにしてもよい。
【００８０】
ユーザ・インタラクションには、図１１に示すようなＧＵＩエレメントによる通信手順を利用するとしたが、ＸＭＬで記述されたファイルを使用するか、又は携帯端末にＪａｖａ（登録商標）  ＶＭを搭載し、Ｊａｖａ（登録商標）  ａｐｐｌｅｔのような形態で実施される構成に変更することも容易である。
【００８１】
本実施例では、ユーザが視聴するコンテンツとして蓄積コンテンツを例にあげたが、地上波デジタル放送波からのコンテンツを視聴するという構成にすることも可能である。
【００８２】
本実施例では、位置情報の通信に無線タグ及び無線タグリーダを使用するとしたが、ＢｌｕｅＴｏｏｔｈ又はＩＥＥＥ８０２のような近距離無線伝送方式を利用する構成も可能である。
【００８３】
本実施例では、携帯端末の一例として携帯電話を使用するとしたが、カーナビゲーションシステムのような移動体通信機器を利用する構成も可能である。
【実施例２】
【００８４】
本発明の第２実施例を説明する。第２実施例は、第１実施例に対し、携帯端末の位置情報の検出に特徴を有するものである。第１実施例と同じ作用の構成要素には同じ符号を付してある。第２の実施例に係る説明は、第１の実施例との相違点についてのみを説明する。
【００８５】
図１４は、第２実施例に係るテレビ受信装置１００ａの概略構成ブロック図を示す。図１に示す構成要素と同じ作用の構成要素には同じ符号を付してある。図１５は、テレビ受信装置１００ａと対になって使用される携帯電話７００の正面図を示し、図１６は、携帯電話７００の概略構成ブロック図を示す。
【００８６】
テレビ受信装置１００ａは、無線タグリーダ１２４の代わりにＧＰＳ受信機１２５を具備する。ＧＰＳ（Global Positioning System）受信機１２５は、本テレビ受信装置１００ａの設置位置（緯度、経度及び高度）を識別するために用いされている。
【００８７】
ＧＰＳ受信機１２５は、より高精度なＤＧＰＳ（Differential Global Positioning System）対応のＧＰＳ受信機である。ＧＰＳは人工衛星を利用して自分が地球上のどこにいるのかを正確に割り出すシステムである。２４個の人工衛星のうち、もっとも受信しやすい３個以上の衛星からの電波を受信することによって、位置、移動方向及び速度を計算できる。ＤＧＰＳは、位置の分かっている基準局でのＧＰＳ受信結果でＧＰＳの計測結果の誤差を修正して精度を高める技術であり、その誤差は、およそ５ｍ程度まで縮めることが出来る。
【００８８】
テレビ受信装置１００ａは、ＧＰＳ受信機１２５から得られる位置情報（緯度、経度及び高度）により、表示先切り替えエリアの範囲を識別する。表示先切り換えエリアとは、コンテンツの表示先を切り換えるエリアであり、このエリアの範囲内に携帯端末７００が存在するか否かで、デバイスリストが変更される。仮に携帯端末７００が表示先切り換えエリアの内部にある場合は、テレビ受信装置１００ａは、メモリ１０７に格納するデバイスリストに携帯端末６００のデバイスＩＤ及びＩＰアドレスを保持する。他方、携帯端末７００が表示先切り換えエリアの範囲外に出た場合は、上記デバイスリストから携帯端末７００のデバイスＩＤ及びＩＰアドレスを削除する。携帯端末が保持するデバイスＩＤ及びＩＰアドレスをテレビ受信装置１００ａに転送する方法は、後述する。
【００８９】
図１５及び図１６を参照して、携帯電話７００の機能を説明する。携帯電話７００には、送受信用のアンテナ７０１が引き出し及び収容可能に取り付けられている。スピーカ７０２から通話先の音声が出力される。表示部７０３は、電波状態及び保存されている電話帳などの各種情報を表示するとともに、テレビ受信装置１００ａからのコンテンツデータを表示可能である。各種操作のための操作キー７０４は、テンキーを含む。マイクロフォン７０５は、通話時のユーザの音声を集音する。赤外線通信部７０６は、テレビ受信装置１００ａからＩＰアドレスを受信する。携帯電話本体部７０７は、アンテナ７０１及びマイクロフォン７０５を含む一般的な携帯電話の機能を提供する。通信制御部７０８は、公衆回線網に設けられたサーバを介して簡易トランスポートプロトコルによりインターネットに接続する機能を具備する。ＧＰＳ受信機７０９はＤＧＰＳに対応しており、ＧＰＳ衛星からの電波を受信して、携帯電話７００の位置を検出する。メモリ７１０は、携帯電話７００のデバイスＩＤ及びＩＰアドレスと共に、通信先のテレビ受信装置１００ａのＩＰアドレスを保持する。テレビ受信装置１００ａのＩＰアドレスについては後述する。
【００９０】
携帯電話７００は、通信制御部７０８を介して常に一定間隔で自身のＧＰＳ情報、デバイスＩＤ及びＩＰアドレスをテレビ受信装置１００ａにＴＣＰ／ＩＰプロトコルで送信する。その為には、携帯電話７００は、予め、テレビ受信装置１００ａのＩＰアドレスを把握しておく必要がある。
【００９１】
携帯端末７００は、赤外線通信部７０６を介してテレビ受信装置１００ａの受光部１１５にＩＰアドレス要求を送信する。この要求は、受光部１１５からテレビ受信装置１００ａのＣＰＵ１１８に転送され、ＣＰＵ１１８は、通信制御部１２３のＩＰアドレスを携帯端末７００に送信する。携帯端末７００は、これをメモリ７１０に格納する。
【００９２】
ユーザは、以上の手順により、通信の対象となるテレビ受信装置を予め決めておく。テレビ受信装置１００ａのＩＰアドレスを保持している携帯電話７００は、以後、一定間隔でテレビ受信装置１００ａにＧＰＳ情報、デバイスＩＤ及びＩＰアドレスを送信する。テレビ受信装置１００ａは、携帯端末７００からの情報を受信し、これに基づきデバイスリストを生成する。
【００９３】
ユーザがテレビ受信装置１００ａでＤ−ＶＨＳ１３０のコンテンツを視聴している途中で携帯端末７００を持って外出する場合を想定する。携帯端末７００が表示先切り換えエリアの範囲外に出た場合、テレビ受信装置１００ａは、デバイスリストから携帯端末７００の情報を削除すると共に、再生中のコンテンツを携帯端末７００に転送する。
【００９４】
ユーザが外出先で携帯端末７００でＤ-ＶＨＳ１３０のコンテンツを視聴しながら帰宅し、携帯端末６００が表示先切り換えエリアの範囲内に入った場合、テレビ受信装置１００ａは、デバイスリストに携帯端末７００を追加すると共に携帯電話６００へのコンテンツの送信を止め、自身の画像表示部１１２にコンテンツを表示させる。
【００９５】
以上のような手順により、屋内のテレビ受信装置１００ａでテレビ受信装置１００ａが制御可能なコンテンツを視聴中していたユーザが、携帯端末７００を持って外出した場合、煩雑な操作を行うことなく外出先で続きのコンテンツ視聴が可能となる。同様に、外出先で携帯端末６００を用いて屋内のテレビ受信装置１００ａが制御可能なコンテンツを視聴していたユーザが帰宅し、テレビ受信装置１００ａに近づいた場合、煩雑な操作を行うことなく、テレビ受信装置１００ａで続きを視聴することが可能になる。
【００９６】
上述した実施例は、説明用であり、本発明は、その精神又はその主要な特徴から逸脱することなく、様々な形で実施することが出来る。従って、前述の実施形態はあらゆる点に於いて単なる例示に過ぎず、限定的に解釈してはならない。
【図面の簡単な説明】
【００９７】
【図１】本発明の第１実施例に係るテレビ受信装置１００の概略構成ブロック図。
【図２】Ｄ−ＶＨＳ１３０の概略構成ブロック図。
【図３】無線タグ３００及び無線タグリーダ１２４の概略構成ブロック図である。
【図４】無線タグに格納されているデバイスＩＤのフォーマットの説明図。
【図５】携帯電話５００の正面図である。
【図６】携帯電話５００の概略構成ブロック図である。
【図７】本実施例で使用するネットワークシステムの一例を示す図。
【図８】テレビ受信装置１００から携帯端末５００に表示先を切り換える際のテレビ受信装置１００及び携帯端末５００の動作を説明する図。
【図９】携帯端末５００がテレビ受信装置１００から受信し表示するメッセージの一例を示す図。
【図１０】携帯端末５００がテレビ受信装置１００から受信し表示する操作パネルの一例を示す図。
【図１１】テレビ受信装置１００が携帯端末５００に送信するメッセージ／操作パネルのデータ構造を説明する図。
【図１２】携帯端末５００からテレビ受信装置１００に表示先を切り換える際のテレビ受信装置１００及び携帯端末５００の動作を説明する図。
【図１３】テレビ受信装置１００が表示するメッセージの一例を示す図。
【図１４】本発明の第２実施例に係るテレビ受信装置１００ａの概略構成ブロック図。
【図１５】携帯電話７００の正面図である。
【図１６】携帯電話７００の概略構成ブロック図である。
【符号の説明】
【００９８】
１００，１００ａ：テレビ受信装置
１０１：チューナ
１０２：デスクランブラ
１０３：デマルチプレクサ
１０４：ビデオデコーダ
１０５：オーディオデコーダ
１０６：データストリーム処理部
１０７：メモリ部
１０８：画像構成部
１０９：表示制御部
１１０：ＤＡＣ
１１２：画像表示部
１１３：音声出力部
１１６：リモコン
１１８：ＣＰＵ
１２２：エンコーダ
１２３：通信制御部
１２４：無線タグリーダ
１２５：ＧＰＳ受信機
２０１：ＩＥＥＥ１３９４インターフェース
２０２：Ｄ−ＶＨＳ本体部
２０３：エンコーダ／デコーダ
２０４：制御部
３００：無線タグ
３０１：メモリ
３０２：ロジック回路
３０３：ＲＦ回路
３０４：アンテナ
３０５：アンテナ
３０６：ＲＦ回路
３０７：制御部
３０８：通信処理部
５００：携帯電話
５０１：アンテナ
５０２：スピーカ
５０３：表示部
５０４：操作キー
５０５：マイクロフォン
５０７：携帯電話本体部
５０８：通信制御部
５０９：デコーダ
６０１：固定無線基地局
６０２：公衆回線網
６０３：インターネット
６０４：ゲートウェイ
【図１】
2005175862.tif 000003
【図２】
2005175862.tif 000004
【図３】
2005175862.tif 000005
【図４】
2005175862.tif 000006
【図５】
2005175862.tif 000007
【図６】
2005175862.tif 000008
【図７】
2005175862.tif 000009
【図８】
2005175862.tif 000010
【図９】
2005175862.tif 000011
【図１０】
2005175862.tif 000012
【図１１】
2005175862.tif 000013
【図１２】
2005175862.tif 000014
【図１３】
2005175862.tif 000015
【図１４】
2005175862.tif 000016
【図１５】
2005175862.tif 000017
【図１６】
2005175862.tif 000018